(57)【特許請求の範囲】
【請求項１】
回転することで内部に投入された洗濯物が持ち上げられて水面上に落下することで洗濯を行う回転ドラムと、この回転ドラムを外包した外槽と、前記回転ドラムを回転させる駆動モータと、前記外槽を主体とする揺動体を揺動可能に収容したボデーと、前記回転ドラムの前面開口部に対応する前記外槽の開口部と前記ボデーの前面を構成する前板の前面開口部との間を連結した略筒状のパッキング部材と、前記前板の前面開口部に開閉自在に設けた窓と、前記前板の内壁側に設けられ前記窓を閉状態にロックする窓ロックスイッチとを備え、前記パッキング部材のボデー側端部は、前記前板の内壁側に設けられた略環状の取り付け部材と前記前面開口部の周縁の内面部とで挟持され、前記略環状の取り付け部材には、前記窓ロックスイッチに設けたスライド突起が嵌合することで前記窓ロックスイッチが前記略環状の取り付け部材に仮固定されるスライド溝を設けたドラム式洗濯機。
【請求項２】
略環状の取り付け部材は、ボデーの前面側からねじ止めされることで前板の内壁側に固定される請求項１記載のドラム式洗濯機。
【請求項３】
窓ロックスイッチは、そのスライド突起が、略環状の取り付け部材のスライド溝に前方から後方にスライドされて仮固定される請求項１または２記載のドラム式洗濯機。
【請求項４】
窓ロックスイッチは、略環状の取り付け部材に仮固定された後、ボデーの前面側からねじ止めされることで前板の内壁側に固定されるようにし、前記窓ロックスイッチのねじ止め固定部分は、前記略環状の取り付け部材のスライド溝の近傍に設けた請求項１〜３のいずれか１項に記載のドラム式洗濯機。
【請求項５】
略環状の取り付け部材のスライド溝には、窓ロックスイッチがボデーの後方へ行きすぎないようにストッパを設けた請求項１〜４のいずれか１項に記載のドラム式洗濯機。
【発明の詳細な説明】
【０００１】
【発明の属する技術分野】
本発明は、略水平方向に回転するドラム内で洗濯物を洗濯等を行うドラム式洗濯機に関するものである。
【０００２】
【従来の技術】
従来、この種のドラム式洗濯機は図５および図６に示すように構成していた。以下、その構成について説明する。
【０００３】
図５に示すように、回転ドラム１は、外周部に多数の通水孔２を全面に設け、外槽３内に回転自在に配設している。回転ドラム１の回転中心に回転軸４の一端を略水平方向に固定し、回転軸４の他端にドラムプーリー５を固定している。駆動モータ６は、ベルト７によりドラムプーリー５と連結し、ドラム１を回転駆動する。
【０００４】
外槽３は、ボデー８よりばね体９で揺動可能に吊り下げ、防振ダンパー１０により脱水起動時の振動が低減され、定常脱水時の振動がボデー８に伝達されないように防振支持するとともに、脱水時の振動を低減する重り１１を外槽３の前面側に設けている。略筒状のパッキング部材１２は、回転ドラム１の前面開口部１３に対応する外槽３の開口部１４とボデー前面開口部１５との間を連結するものである。ボデー前面開口部１５に窓１６を開閉自在に設けている。
【０００５】
ヒータ１７は、外槽３内底部に配され、外槽３内に貯められた洗濯水を加熱するものである。制御装置１８は、駆動モータ６、ヒータ１７などの通電を制御し、それらの動作を制御し、洗濯、すすぎ、脱水などの一連の行程を逐次制御する。
【０００６】
パッキング部材１２は、図６に示すように、ボデー前面開口部１５の開口縁を折り曲げた端部８ａにボデー側端部１９を嵌合し、ばね状のバンド２０によりボデー８の前面側に固着し、外槽側端部２１は、外槽３の開口部１４の開口縁を折り曲げた端面３ａに嵌合し、バンド２２により外槽３に固着している。また、パッキング部材１２は、略同一の肉厚で、その長さ方向を部分的に後方かつ内方へ折り返して略環状の膨出部２３を形成している。
【０００７】
窓ロックスイッチ２４は、窓１６が閉状態になった時、窓１６を開かないようにロックするためのもので、ボデー８の内壁に取り付けている。
【０００８】
上記構成において動作を説明すると、窓１６を開いて回転ドラム１内に洗濯物を投入し、運転を開始すると、まず窓ロックスイッチ２４が窓１６をロックし、洗濯行程では、回転ドラム１は駆動モータ６によって第１の回転数Ｎ１（約５３ｒｐｍ）で回転駆動され、回転ドラム１内の洗濯物は持ち上げられて水面上に落下される。こうして洗濯行程が進行する。すすぎ行程においても洗濯行程と同様の動作を行う。
【０００９】
脱水行程では、回転ドラム１は第２の回転数Ｎ２（約１０００ｒｐｍ）で回転駆動され、洗濯物は遠心脱水される。このとき、回転ドラム１内の洗濯物の片寄り、すなわちアンバランスが生じると、回転ドラム１、外槽３などの揺動体は振動（揺動）するが、脱水起動時は防振ダンパー１０により揺動体の振動を減衰し、定常脱水時は防振ダンパー１０の防振機構によりボデー８に伝達されることはない。また、外槽３の開口部１４とボデー８の前面開口部１５との間を略筒状のパッキング部材１２により連結しているが、揺動体の揺動により略筒状のパッキング部材１２がたわむことにより、略筒状のパッキング部材１２を通してボデー８に振動が伝達されることはない。
【００１０】
そして、脱水工程が終了して回転ドラム１が停止すると、制御装置１８は窓ロックスイッチ２４に、窓１６のロック状態を開放させるように出力し、窓１６を開くことができるようになる。そして、使用者は窓１６を開き回転ドラム１内から洗濯物を取り出すことができる。このように、窓ロックスイッチ２４はドラム式洗濯機が動作している間は、回転ドラム１が回転していたり、あるいはヒータ１７による加熱を行うので、使用者が運転途中に窓１６を開き、勝手に回転ドラム１内に手を入れることができないようにしている。
【００１１】
【発明が解決しようとする課題】
このような従来の構成では、パッキング部材１２は、ボデー８を折り曲げた端部８ａにボデー側端部１９を嵌合し、ばね状のバンド２０によりボデー８に固着しているため、パッキング部材１２を取り付ける場合、あるいはサービスで分解が必要なときにパッキング部材１２を取り外す場合、ばね状のバンド２０を延ばしてボデー側端部１９に装着あるいは取り外ししなければならず、組立作業性、サービス性が悪く、また、パッキング部材１２の取り付け位置を調整することができないため、パッキング部材１２と窓１６の内面との嵌着力を調整することができず、嵌着力が弱い場合には、窓１６の内面とパッキング部材１２との間の隙間から水漏れが発生し、嵌着力が強い場合には、窓１６の開閉がかたくなるという問題を有していた。
【００１２】
また、窓ロックスイッチ２４は、ボデー８の内壁に固定する必要があるため、制御装置１８からの配線を施す必要のある窓ロックスイッチ２４を、ボデー前面開口部１５から手をボデー８内に差し込んで、窓ロックスイッチ２４をボデー内壁の所定の位置に合わせた状態でボデー８の前面からねじ止めするという組立を行わなければならず、組立作業性、サービス性の悪いものであった。
【００１３】
本発明は上記従来の課題を解決するもので、パッキング部材の組立作業性、サービス作業性を向上させるとともに、窓ロックスイッチの組立作業性、サービス性を向上することを目的としている。
【００１４】
【課題を解決するための手段】
本発明は上記目的を達成するために、回転ドラムの前面開口部に対応する外槽の開口部と前板の前面開口部との間を略筒状のパッキング部材で連結し、パッキング部材のボデー側端部は、前板の内壁側に設けられた略環状の取り付け部材と前面開口部の周縁の内面部とで挟持され、さらに略環状の取り付け部材には、窓ロックスイッチに設けたスライド突起が嵌合することで窓ロックスイッチが略環状の取り付け部材に仮固定されるスライド溝を設けたものである。
【００１５】
この構成により、取り付け部材と前板の前面開口部周縁の内面部とでパッキング部材のボデー側端部を挟持するだけでよく、また、窓ロックスイッチを嵌合部に仮固定することでボデーへの窓ロックスイッチの固定が簡単で、組立作業性、サービス性を向上することができる。
【００１６】
【発明の実施の形態】
本発明の請求項１に記載の発明は、回転することで内部に投入された洗濯物が持ち上げられて水面上に落下することで洗濯を行う回転ドラムと、この回転ドラムを外包した外槽と、前記回転ドラムを回転させる駆動モータと、前記外槽を主体とする揺動体を揺動可能に収容したボデーと、前記回転ドラムの前面開口部に対応する前記外槽の開口部と前記ボデーの前面を構成する前板の前面開口部との間を連結した略筒状のパッキング部材と、前記前板の前面開口部に開閉自在に設けた窓と、前記前板の内壁側に設けられ前記窓を閉状態にロックする窓ロックスイッチとを備え、前記パッキング部材のボデー側端部は、前記前板の内壁側に設けられた略環状の取り付け部材と前記前面開口部の周縁の内面部とで挟持され、前記略環状の取り付け部材には、前記窓ロックスイッチに設けたスライド突起が嵌合することで前記窓ロックスイッチが前記略環状の取り付け部材に仮固定されるスライド溝を設けたものである。
【００１７】
この構成によれば、取り付け部材をパッキング部材にはめ込み、取り付け部材とボデー前面を構成する前板の開口部周縁の内面部とでパッキング部材のボデー側端部を挟持するだけでよいため、組立作業性、サービス性を向上することができ、取り付け部材の開口端部によりパッキング部材との押さえ代を調整することにより、パッキング部材と窓の内面との嵌着力を調整することができ、窓の内面とパッキング部材との間の隙間から水が漏れるのを防止することができる。また、略環状の取り付け部材の嵌合部に窓ロックスイッチを仮固定することでボデーへの窓ロックスイッチの固定が簡単で、組立作業性、サービス性を向上することができる。
【００１８】
本発明の請求項２に記載の発明は、請求項１に記載の発明における略環状の取り付け部材は、ボデーの前面側からねじ止めされることで前板の内壁側に固定されるものであり、ボデーの前面から略環状の取り付け部材をねじ止めすることによりパッキング部材を取り付けることができ、組立作業性およびサービス性を向上することができる。
【００１９】
本発明の請求項３に記載の発明は、請求項１または２記載の発明における窓ロックスイッチは、そのスライド突起が、略環状の取り付け部材のスライド溝に前方から後方にスライドされて仮固定されるもので、この構成によれば、窓ロックスイッチの仮固定の作業性をさらに向上させることができる。
【００２０】
本発明の請求項４に記載の発明は、請求項１〜３に記載の発明における窓ロックスイッチは、略環状の取り付け部材に仮固定された後、ボデーの前面側からねじ止めされることで前板の内壁側に固定されるようにし、前記窓ロックスイッチのねじ止め固定部分は、前記略環状の取り付け部材のスライド溝の近傍に設けたもので、この構成によれば、仮固定した窓ロックスイッチをボデーにねじ止めする際、ボデーのねじ孔と窓ロックスイッチのねじ穴を一致させ易くし、作業性をさらに向上させることができる。
【００２１】
本発明の請求項５に記載の発明は、請求項１〜４に記載の発明における略環状の取り付け部材のスライド溝には、窓ロックスイッチがボデーの後方へ行きすぎないようにストッパを設けたもので、ねじ止め時にねじに押されて窓ロックスイッチが後方へ行き過ぎてねじ止めが困難になるのを防ぐことができる。
【００２２】
【実施例】
以下、本発明の一実施例について、図１から図４を参照しながら説明する。なお、従来例と同一構成部品には同一符号を付してその説明を省略する。
【００２３】
まず、本実施例のドラム式洗濯機の全体構成を図３により説明する。図に示すように、第１のモータ（駆動モータ）２６は、回転ドラム１を第１の回転数Ｎ１（たとえば、５３ｒｐｍ）で回転させて、洗濯またはすすぎをするものであり、第２のモータ（駆動モータ）２７は、回転ドラム１を第２の回転数Ｎ２（たとえば、１０００ｒｐｍ）で回転させて脱水する。これら第１のモータ２６および第２のモータ２７は、インダクションモータで構成し、それぞれベルト２８、２９を介して従動プーリー３０に連結している。
【００２４】
従動プーリー３０は、２種の減速比を有しており、第１のモータ２６をベルト２８を介して減速比が大きい従動プーリー３０ａと連結し、第２のモータ２７をベルト２９を介して減速比が小さい従動プーリー３０ｂと連結し、回転ドラム１の回転中心に一端を固定した回転軸４の他端に固定している。制御装置３１は、ヒータ１７、第１のモータ２６、第２のモータ２７などの通電を制御しそれらの動作を制御し、洗濯、すすぎ、脱水などの一連の行程を逐次制御する。
【００２５】
パッキング部材３２は弾性体で略筒状に形成、好ましくはゴムにより略筒状に形成し、回転ドラム１の前面開口部１３に対応する外槽３の開口部１４とボデー前面開口部１５との間を連結するものである。
【００２６】
このパッキング部材３２のボデー側端部３３に、図１および図２に示すように、略環状の取り付け部材３４を取り付け、この略環状の取り付け部材３４の４箇所には取り付け孔３４ａを設け、ボデー８の前面を構成する前板８ｃのボデー前面開口部１５の縁部周辺４箇所にも取り付け部材３４の取り付け孔３４ａと対応する取り付け孔８ｂを設けている。そして、前板８ｃの取り付け孔８ｂから取り付け部材３４の取り付け孔３４ａにねじ３５を挿入し、この挿入したねじ３５は取り付け部材３４の取り付け孔３４ａの裏側に取り付けたナット３６に螺合する。このナット３６は取り付け部材３４に溶接等により固定しているが、取り付け部材３４の取り付け孔３４ａにねじ３５が螺合するねじ孔構成にすれば、特にナット３６を設ける必要はない。このねじ３５を締め付けることにより、パッキング部材３２のボデー側端部３３を略環状の取り付け部材３４とボデー前面開口部１５の周縁内面部とで挟持している。
【００２７】
窓ロックスイッチ２４は、図４に示すように、略環状の取り付け部材３４に設けた嵌合部３４ａに嵌合され仮固定される。窓ロックスイッチ２４と略環状の取り付け部材３４には、互いにスライドさせて嵌合するためのスライド溝３４ｂおよびスライド突起２４ａを有している。また、窓ロックスイッチの嵌合部３４ａには、窓ロックスイッチ２４が後方に行き過ぎないようにストッパ３４ｃを設けている。
【００２８】
取り付け部材３４は略環状であるため、構成を簡素化することができ、この取り付け部材３４をパッキング部材３２にはめ込み、取り付け部材３４とボデー前面開口部１５の周縁内面部とでパッキング部材３２を挟持するだけでよいため、組立作業性、サービス性を向上することができる。
【００２９】
上記構成において動作を説明すると、窓１６を開いて回転ドラム１内に洗濯物を投入し、電源スイッチ（図示せず）をオンした後、制御装置３１に設けたスタートスイッチ（図示せず）を操作して運転を開始すると、給水弁４０が動作して給水し、水位検知手段（図示せず）により所定の水位を検知すると給水を停止し、第１のモータ２６を駆動する。洗濯行程では、洗濯物に水が含まれるため補給水しながら、回転ドラム１は第１のモータ２６によって第１の回転数Ｎ１で回転駆動され、回転ドラム１内の洗濯物は持ち上げられて水面上に落下される。
【００３０】
このとき、ヒータ１７に通電して外槽３内の洗濯水をほぼ一定の温度に制御しながら加熱する。洗濯行程が終了すると、排水ポンプ４１が動作して外槽３内の洗濯水を排水する。その後、すすぎ行程を経由して脱水行程では、回転ドラム１は第２の回転数Ｎ２で回転駆動され、洗濯物は遠心脱水される。
【００３１】
このように本実施例によれば、略筒状のパッキング部材３２のボデー側端部３３をボデー前面開口部１５の周縁内面部とで挟持する取り付け部材３４を略環状とすることで、取り付け部材３４の構成を簡素化することができ、取り付け部材３４をパッキング部材３２にはめ込み、取り付け部材３４とボデー前面開口部１５の周縁内面部とでパッキング部材３２を挟持するだけでよいため、組立作業性、サービス性を向上することができる。
【００３２】
また、取り付け部材３４の開口端部３４ａによりパッキング部材３２の押さえ代（突出代）を調整する。つまり、ねじ３５を締め付けていくことにより取り付け部材３４の開口端部３４ａは前方側、すなわち矢印Ａ方向に移動するので、このねじ３５の締め付け力を調整することでパッキング部材３２の前方への突出代を調整でき、パッキング部材３２と窓１６の内面との嵌着力を調整することができるため、窓１６の内面とパッキング部材３２との間の隙間から水が漏れるのを防止することができ、また、窓１６の開閉力を調整することもできる。また、略環状の取り付け部材３４とボデー前面開口部１５の周縁とを、ボデー８の前面側からねじ３５により締着し固定するので、組立作業性およびサービス性を向上することができる。
【００３３】
なお、略環状の取り付け部材３４のスライド溝３４ｂは、窓ロックスイッチ２４のボデーへの固定用のねじ穴２４ｂの近傍に設けたことで、仮固定した窓ロックスイッチ２４をボデー８にねじ止めする時に、ボデー８の前板８ｃのねじ孔８ａと窓ロックスイッチ２４のねじ穴２４ｂを一致させ易くし、作業性をさらに向上させることができる。
【００３４】
また、略環状の取り付け部材３４の嵌合部３４ａには、窓ロックスイッチ２４がボデー８の後方へ行きすぎないようにストッパ３４ｃを設けたことで、ねじ止め時にねじに押されて窓ロックスイッチ２４が後方へ行き過ぎてねじ止めが困難になるのを防ぐことができる。
【００３５】
【発明の効果】
以上のように本発明の請求項１に記載の発明によれば、パッキング部材のボデー側端部を略環状の取り付け部材とボデーの前面を構成する前板の前面開口部周縁の内面部とで挟持する構成なので、取り付け部材をパッキング部材にはめ込み、取り付け部材とボデーの前面を構成する前板の前面開口部周縁の内面部分とでパッキング部材を挟持するだけでよいため、組立作業性、サービス性を向上することができる。また、略環状の取り付け部材のスライド溝に窓ロックスイッチのスライド突起を嵌合させることで、窓ロックスイッチを略環状の取り付け部材に仮固定することができるので、ボデーへの窓ロックスイッチの固定が簡単で、組立作業性、サービス性を向上することができる。
【００３６】
本発明の請求項２に記載の発明によれば、略環状の取り付け部材は、ボデーの前面側からねじ止めされることで前板の内壁側に固定されたから、ボデーの前面から略環状の取り付け部材にねじ止めすることによりパッキング部材を取り付けることができ、組立作業性およびサービス性を向上することができる。
【００３７】
本発明の請求項３に記載の発明によれば、窓ロックスイッチは、そのスライド突起が、略環状の取り付け部材のスライド溝に前方から後方にスライドされて仮固定される構成なので、窓ロックスイッチの仮固定の作業性をさらに向上させることができる。
【００３８】
本発明の請求項４に記載の発明によれば、窓ロックスイッチは、略環状の取り付け部材に仮固定された後、ボデーの前面側からねじ止めされることで前板の内壁側に固定されるようにし、前記窓ロックスイッチのねじ止め固定部分は、前記略環状の取り付け部材のスライド溝の近傍に設けたことで、仮固定した窓ロックスイッチをボデーにねじ止めする時に、ボデーのねじ孔と窓ロックスイッチのねじ穴を一致させ易くし、作業性をさらに向上させることができる。
【００３９】
本発明の請求項５に記載の発明によれば、略環状の取り付け部材のスライド溝には、窓ロックスイッチがボデーの後方へ行きすぎないようにストッパを設けたことで、ねじ止め時にねじに押されて窓ロックスイッチが後方へ行き過ぎてねじ止めが困難になるのを防ぐことができる。
【図面の簡単な説明】
【図１】  本発明の一実施例を示すドラム式洗濯機の一部切欠した分解斜視図
【図２】  同ドラム式洗濯機の要部断面図
【図３】  同ドラム式洗濯機の断面図
【図４】  同ドラム式洗濯機の要部斜視図
【図５】  従来のドラム式洗濯機の断面図
【図６】  同ドラム式洗濯機の一部切欠した要部断面図
【符号の説明】
１  回転ドラム
３  外槽
８  ボデー
１３  前面開口部
１４  開口部
１５  ボデー前面開口部
２４  窓ロックスイッチ
２４ａ  スライド突起
２４ｂ  ねじ穴
２６  第１のモータ（駆動モータ）
２７  第２のモータ（駆動モータ）
３２  パッキング部材
３３  ボデー側端部
３４  取り付け部材
３４ａ  嵌合部
３４ｂ  スライド溝
３４ｃ  ストッパ
【図１】
0003774978.tif 000002
【図２】
0003774978.tif 000003
【図３】
0003774978.tif 000004
【図４】
0003774978.tif 000005
【図５】
0003774978.tif 000006
【図６】
0003774978.tif 000007